(57)【要約】      （修正有）【課題】加工が簡単で、見栄えもよく、装着も簡単であり、しかも、つば付き帽子との密着性が高いフードを提供する。【解決手段】つば１１付き帽子のうち、このつば１１だけを露出させるが、それ以外は全面的に内部に収納可能な大きさを有するフード２０である。フード２０は、フード開口２１のほぼ全長にわたって、コード３０を有している。コード３０は、つば１１の後部の長手方向長さａよりやや長い露出部分Ａを有し、そのコード露出部分Ａの両端は固定部２６、２８により固定支持されている。つば１１は、コード露出部分Ａとフード２０の間に挿入される。【選択図】図２
0003192823.tif 000002
【実用新案登録請求の範囲】
【請求項１】
つば（１１）付き帽子（１０）のうち、このつば（１１）だけを露出させるが、それ以外は全面的に内部に収納可能な大きさを有するフード（２０）であって、
前記フード（２０）は、フード開口（２１）のほぼ全長にわたって、コード（３０）を有しており、
前記コード（３０）は、前記つば（１１）の後部の長手方向長さ（ａ）よりやや長い露出部分（Ａ）を有し、そのコード露出部分（Ａ）の両端は固定部（２６、２８）により固定支持されており、
前記つば（１１）は、前記コード露出部分（Ａ）と前記フード（２０）の間に挿入される
ことを特徴とする、つば付き帽子との密着性が高いフード（２０）。
【請求項２】
前記つば（１１）の後部の長手方向長さ（ａ）に相当する位置のフード裏面に、エラストマー材料から形成された滑り止め層（２４）が設けられている請求項１記載のフード（２０）。
【請求項３】
前記コード（３０）が自然に放置した状態から１０５〜１２０％程度の伸度を有する弾性紐である請求項１記載のフード（２０）。
【請求項４】
つば（１１Ａ）付き帽子（１０Ａ）のうち、このつば（１１Ａ）だけを露出させるが、それ以外は全面的に内部に収納可能な大きさを有するフード（２０Ａ）であって、
前記フード（２０Ａ）は、前面開口（２１Ａ）が第１縁部（２３）と第２縁部（２５）を有し、
前記第１縁部（２３）は、前記つば（１１Ａ）の後部の長手方向長さに相当する位置に、エラストマー材料から形成された滑り止め層（２４Ａ）を有し、
前記第２縁部（２５）は、前記つば（１１Ａ）の後端固定部（２６Ａ、２８Ａ）からあご部（２７Ａ、２８Ａ）にかけて設けられている２本のコード（３０Ａ、３１）を有する、
ことを特徴とする、つば付き帽子との密着性が高いフード（２０Ａ）。
【考案の詳細な説明】
【技術分野】
【０００１】
本考案は、従来品と比べて、つば付き帽子との密着性が高いフードに関する。
【背景技術】
【０００２】
多少の悪天候でも、つば付き帽子の上から雨具等のフードを着用して、ゴルフや釣りをしたり、農作業や見回りその他の作業をしたりする場合がある。その際、問題となるのは、着用者の正面方向から風を受けると、つば付き帽子とフードとの隙間から風が入り込んで、その結果、フードが帽子から容易に外れてしまうということである。
【０００３】
そこで、つば付き帽子からフードが容易に外れないように、フードを帽子に固定するための各種の技術が提案されている。
【０００４】
例えば、特開２０００―２４８４０６公報では、フードに袋状のひさしを設け、そのひさしにつば付き帽子のつば部を挿入している。実開平２−２５５３５公報では、帽子のひさしや本体の縁部に左右一対の雨具フードを止めるための挟持部材の一端を固定している。また、特開２０１０―２２９５８８公報では、顔にあたる部分の周囲に紐を配している。
【先行技術文献】
【特許文献】
【０００５】
【特許文献１】特開２０００―２４８４０６公報
【特許文献２】実開平２−２５５３５公報
【特許文献３】特開２０１０―２２９５８８公報
【考案の概要】
【考案が解決しようとする課題】
【０００６】
特開２０００―２４８４０６の発明は、フードに袋状のひさしを加工するのが難しい。実開平２−２５５３５の考案は、予め挟持部材を設けていない一般の帽子には適用できない。特開２０１０―２２９５８８で使用するような締め付け紐は両手を使っても左右均等に締め付けるのが難しく、左右で不均等になることが多かった。
【０００７】
本考案は、加工が簡単で、見栄えもよく、装着も簡単であり、しかも、つば付き帽子との密着性が高いフードを提供することを目的とする。
【課題を解決するための手段】
【０００８】
前記目的を達成する本考案は、つば１１付き帽子１０のうち、このつば１１だけを露出させるが、それ以外は全面的に内部に収納可能な大きさを有するフード２０であって、前記フード２０は、フード開口２１のほぼ全長にわたって、コード３０を有しており、前記コード３０は、前記つば１１の後部の長手方向長さａよりやや長い露出部分Ａを有し、そのコード露出部分Ａの両端は固定部２６、２８により固定支持されており、前記つば１１は、前記コード露出部分Ａと前記フード２０の間に挿入されることを特徴とする（請求項１）。コードとしては様々な形状のものが使用でき、例えば、直径３ｍｍ〜１０ｍｍの断面円形のものや５ｍｍ〜２０ｍｍ幅のテープ状のものを使用することができる。
【０００９】
好ましくは、前記つば１１の後部の長手方向長さａに相当する位置のフード裏面に、エラストマー材料から形成された滑り止め層２４が設けられている（請求項２）。
【００１０】
好ましくは、前記コード３０が自然に放置した状態から１０５〜１２０％程度の伸度を有する弾性紐である（請求項３）。
【００１１】
別の観点では、前記目的を達成する本考案は、つば１１Ａ付き帽子１０Ａのうち、このつば１１Ａだけを露出させるが、それ以外は全面的に内部に収納可能な大きさを有するフード２０Ａであって、前記フード２０Ａは、前面開口２１Ａが第１縁部２３と第２縁部２５を有し、前記第１縁部２３は、前記つば１１Ａの後部の長手方向長さに相当する位置に、エラストマー材料から形成された滑り止め層２４Ａを有し、前記第２縁部２５は、前記つば１１Ａの後端固定部２６Ａ、２８Ａからあご部２７Ａ、２８Ａにかけて設けられている２本のコード３０Ａ、３１を有する（請求項４）。
【考案の効果】
【００１２】
本考案請求項１によれば、前記つば１１は、前記コード露出部分Ａと前記フード２０の間に挿入されるので、帽子とフードの一体性が高まり、フードのめくれあがりを防止することができる。また、コードは、コード露出部分Ａの両端固定部２６、２８において固定支持されているので、左右均等に締め付けるのが容易であり、見た目に美しいものとなる。必要があれば、左右コードの締め付け程度を変えることもでき、自由度が大きい。
【００１３】
本考案請求項２によれば、エラストマー材料により着用者の顔面との密着性が高まる。
【００１４】
本考案請求項３によれば、コードとして弾性紐を使用するので、着用者の顔面との密着性が高まる。
【００１５】
本考案請求項４によれば、フードの第１縁部がエラストマー材料により帽子のつばと密着し、第２縁部がコードにより、着用者の顔面と密着するので、風雨の侵入を阻止することができる。また、コードは、コード露出部分Ａの両端固定部２６、２８において固定支持されているので、左右均等に締め付けるのが容易であり、見た目に美しいものとなる。必要があれば、左右コードの締め付け程度を変えることもでき、自由度が大きい。
【図面の簡単な説明】
【００１６】
【図１】実施例１に係る、つば付き帽子を取り付ける前のフードの正面図である。
【図２】実施例１に係る、つば付き帽子を取り付けた状態のフードの正面図である。
【図３】実施例２に係る、つば付き帽子を取り付ける前のフードの正面図である。
【図４】実施例２に係る、つば付き帽子を取り付けた状態のフードの正面図である。
【考案を実施するための形態】
【実施例１】
【００１７】
図２に示すように、実施例１のフード２０は、つば１１付き帽子１０のうち、つば１１だけを露出させるが、それ以外は全面的に内部に収納可能である。このフード２０は、前面が開口し、着用者の顔面を露出させる。大きさは、着用者の前頭部、側頭部、後頭部を覆うのに十分なものとする。
【００１８】
このフード２０は、その全体にわたって、雨天時の防水性及び寒冷時の保温性並びに着用時の耐久性に優れた材料で形成されている。具体的には、フード２０は、例えば、ナイロン、ポリエステル等の織布等の材料で形成することが好ましい。
【００１９】
フードの顔面開口２１の縁部２２には、図１、図２に示すように、フード開口２１のほぼ全長にわたって、１本のコード３０が設けられている。コードの両末端３９、４０はフードの首部内に固定収容されている。このコード３０は、いうまでもなく着用者の正面方向から雨風を受けるのを防止するためのものである。そのためコード３０は自然に放置した状態から１０５〜１２０％程度の伸度を有する弾性紐であることが好ましい。
【００２０】
このコード３０は、フードの外に露出している第１部分とフード内の通路３２に収容される第２部分とを有する。
【００２１】
前記第１部分は、つば１１のほぼ全長ａに相当するＡ部分及びあご部のコード長さ調節のためのＢ部分を有する。
【００２２】
コードのＡ部分は、その両端が縫い止め固定部２６、２８により固定支持されているが、中間部は浮き上がった状態である。帽子のつば１１はこのコードのＡ部分とフードの間に挿入されるので、実際の長さは、Ａよりもａの方がわずかに短い。すなわちＡ＞ａである。
【００２３】
Ｂ部分には長さ調節具３４、3５が設けられている。図面上、あご部は２７と２９の２カ所に分かれているが、その間の距離はデザインなどを考慮して決定することができる。
【００２４】
前記第２部分は第１部分以外の部分であり、着用者の顔面側部からあご部にかけて伸びている。フード縁部が袋縫いされて、コードが通過するための通路３２が形成されている。
【００２５】
前記Ａ部分に相当するフードの裏側には、エラストマー材料からなる滑り止め層２４が設定されている。したがって、帽子のつば１１はコード３０のＡ部分と滑り止め層２４のあるフードの間に挿入されることになり、密着度が高いものとなる。
【００２６】
滑り止め層２４のエラストマー材料としては、シリコーンゴム、ニトリルゴム（ＮＢＲ）、ブチルゴム（ＩＩＲ）、クロロプレンゴム（ＣＲ）、スチレン−ブタジェン共重合体ゴム（ＳＢＲ）、天然ゴム（ＮＲ）、イソプレンゴム（ＩＲ）、エチレン−プロピレンゴム（ＥＰＭ）、フッ素ゴム、ブタジェンゴム（ＢＲ）、エチレンプロピレンジエン三元共重合体ゴム（ＥＰＤＭ）、アクリルゴム（ＡＣＭ）、クロロスルホン化ポリエチレン（Ｃ３Ｍ）、多硫化ゴム、ウレタンゴム等を使用することができる。特にシリコーンゴムが好ましい。
【００２７】
滑り止め層２４の形状は、図１、図２に示すように、テープ状であることが好ましいが、その他に、複数の縦線、複数の横線、複数のドット、複数のブロックなどでもよい。
【００２８】
滑り止め層２４を形成するには、接着剤接合、プリント、コーティングなどそれ自体公知の方法を使用することができる。滑り止め層２４の厚さは、１〜２ｍｍ程度あれば十分である。
【００２９】
フードの首部は、２枚の布片３６、３７を面ファスナ３８等により閉じ合せて、風雨が入るのを防止している。  
【実施例２】
【００３０】
図４に示すように、実施例２のフード２０Ａは、つば１１Ａ付き帽子１０Ａのうち、つば１１Ａだけを露出させるが、それ以外は全面的に内部に収納可能である。このフード２０Ａは、前面が開口し、着用者の顔面を露出させる。大きさは、着用者の前頭部、側頭部、後頭部を覆うのに十分なものとする。
【００３１】
このフード２０Ａは、その全体にわたって、雨天時の防水性及び寒冷時の保温性並びに着用時の耐久性に優れた材料で形成されている。具体的には、フードは、例えば、ナイロン、ポリエステル等の織布等の材料で形成することが好ましい。
【００３２】
フード開口２１Ａの縁部２２Ａは、２種類に加工されている。
【００３３】
第１の縁部２３は、図３、図４に示すように、帽子のつば１１Ａの後端が当たる位置に、つば１１Ａ後端の全長にわたって、エラストマー材料からなる滑り止め層２４Ａが設定されている。エラストマー材料としては、シリコーンゴム、ニトリルゴム（ＮＢＲ）、ブチルゴム（ＩＩＲ）、クロロプレンゴム（ＣＲ）、スチレン−ブタジェン共重合体ゴム（ＳＢＲ）、天然ゴム（ＮＲ）、イソプレンゴム（ＩＲ）、エチレン−プロピレンゴム（ＥＰＭ）、フッ素ゴム、ブタジェンゴム（ＢＲ）、エチレンプロピレンジエン三元共重合体ゴム（ＥＰＤＭ）、アクリルゴム（ＡＣＭ）、クロロスルホン化ポリエチレン（Ｃ３Ｍ）、多硫化ゴム、ウレタンゴム等を使用することができる。特にシリコーンゴムが好ましい。
【００３４】
滑り止め層２４Ａの形状は、図３、図４に示すように、テープ状であることが好ましいが、その他に、複数の縦線、複数の横線、複数のドット、複数のブロックなどでもよい。
【００３５】
滑り止め層２４Ａを形成するには、コーティング、プリント、接着剤接合などそれ自体公知の方法を使用することができる。滑り止め層２４Ａの厚さは、１〜２ｍｍ程度あれば十分である。
【００３６】
第２の縁部２５は、帽子のつば１１Ａ後端の左端固定部２６Ａからあご部２７Ａにかけて、及び、帽子のつば後端の右端固定部２８Ａからあご部２９Ａにかけて設けられている２本のコード３０Ａ,３１を有する。このコードは、いうまでもなく着用者の正面方向から雨風を受けるのを防止するためのものである。そのためコード３０は自然に放置した状態から１０５〜１２０％程度の深度を有する弾性紐であることが好ましい。図面上、あご部は２７Ａと２９Ａの２カ所に分かれているが、その間の距離はデザインなどを考慮して決定することができる。
【００３７】
これらのコードの通路３２Ａ、３３を形成するために、フード縁部は袋縫いされている。この通路からフード上にコードを部分的に露出させて、その露出部分にコードの長さ調節具３４Ａ、3５Ａが設けられている。コードの末端３９Ａ、４０Ａはフードの首部内に収容される。
【００３８】
フードの首部は、２枚の布片３６Ａ、３７Ａを面ファスナ３８Ａ等により閉じ合せて、風雨が入るのを防止している。  
【符号の説明】
【００３９】
１０、１０Ａ  帽子
１１、１１Ａ   つば
２０、２０Ａ  フード
２１、２１Ａ  前面開口
２２、２２Ａ  フード縁部
２３   第１縁部
２４、２４Ａ  滑り止め層
２５   第２縁部
２６、２６Ａ  固定部
２７、２７    あご部
２８、２８Ａ  固定部
２９、２９Ａ  あご部
３０、３０Ａ  コード
３１   コード
３２、３２Ａ  通路
３４、３４Ａ  長さ調節具
３６、３６Ａ  布片
３８、３８Ａ  面ファスナ
３９、３９Ａ  コード末端
４０、４０Ａ  コード末端
【図１】
0003192823.tif 000003
【図２】
0003192823.tif 000004
【図３】
0003192823.tif 000005
【図４】
0003192823.tif 000006